(57)【要約】  【課題】    低反発性材料を使用するにもかかわらず、夏場に枕の温度上昇を抑制することができて夏場でも快適に使用することができる低反発性枕を開発することにある。【解決手段】  袋状の通気性枕布(1)と、通気性枕布(1)の内部に充填された詰め物(2)とで構成された厚手略長方形状のもので、その中央部分の厚みがその両側の部分よりわずか薄く形成され、その長辺(10)がなだらかに凹湾曲状に形成されており、詰め物(2)が発泡性低反発樹脂の粒状物の集合体で構成されていることを特徴とするもので、詰め物(2)が粒状物であるため、枕(A)全体の通気性が優れたものとなる。 【選択図】    図１
2006014846.tif 000002
【特許請求の範囲】
【請求項１】
袋状の通気性枕布と、通気性枕布の内部に充填された詰め物とで構成された厚手略長方形状のもので、その中央部分の厚みがその両側の部分よりわずかに薄く形成され、その長辺がなだらかに凹湾曲状に形成されており、詰め物が発泡性低反発樹脂の粒状物の集合体で構成されていることを特徴とする枕。
【請求項２】
粒状物が円柱状、球状、立方体、直方体、回転楕円体であることを特徴とする請求項１に記載の枕。
【発明の詳細な説明】
【技術分野】
【０００１】
本発明は、就寝時に肩口から頭部においてフィットし、付加的には通気性に優れた新規な安眠快適枕に関する。
【背景技術】
【０００２】
従来、就寝時の快適さを求めてこれまでに多数の枕が研究されてきた。たとえば、特開２００２−１４２９４４号公報に記載された枕(B)は、異なる反弾発性および硬さを有する複数のウレタンホーム(20)(21)を厚さ方向に積層したもので、温度による弾性変化および寝具の弾性との関係を改善することによって睡眠時の理想的な姿勢を保持するというものでその点では理想的な枕であるが、全体が一体の低反発性材料で形成された低反発性枕(B)はその物性上蓄熱性が高く、特に夏場には枕の温度が高くなり寝苦しくなるという問題点がある。
【特許文献１】特開２００２-１４２９４４号公報
【発明の開示】
【発明が解決しようとする課題】
【０００３】
本発明は上記従来例の問題点に鑑みてなされたもので、本発明の課題は低反発性材料を使用するにもかかわらず、夏場に枕の温度上昇を抑制することができて夏場でも快適に使用することができる低反発性枕を開発することにある。
【課題を解決するための手段】
【０００４】
本発明の請求項１にかかる枕(A)は「袋状の通気性枕布(1)と、通気性枕布(1)の内部に充填された詰め物(2)とで構成された略厚手長方形状のもので、その中央部分の厚みがその両側の部分よりわずか薄く形成され、その長辺(10)がなだらかに凹湾曲状に形成されており、詰め物(2)が発泡性低反発樹脂の粒状物の集合体で構成されている」ことを特徴とする。
【０００５】
請求項２の前記枕(A)は詰め物(2)の形状に関し「粒状物が円柱状、球状、立方体、直方体、回転楕円体である」ことを特徴とする。
【発明の効果】
【０００６】
本発明は、詰め物(2)が低反発性材料の粒状物の集合体であるから、通気性枕布(1)内に充填された詰め物(2)全体としては一体の低反発枕(A)として作用し、仰向けに寝て枕(A)の中央に頭を乗せたとき、頭の重みで枕(A)の中央部分(12)が沈み込み、後頭部から首及び肩口にかけての部分全体に合わせて殆ど反発力を示すことなく沈み込んで柔らかくフィットする。加えて、枕布(1)は通気性を備えたメッシュ地であることと、詰め物(2)が粒状物であるため、粒状物の間にある程度の大きな隙間(3)が存在することになり、枕(A)全体の通気性が優れたものとなる。その結果、夏場でも枕(A)全体の通気性が保たれ、枕(A)の温度が寝苦しくなるほど高くなることはない。また、枕(A)の長辺(10)の両端部分(13)のなだらかに凸湾曲している部分(14)(14)が両肩に軽く接触し、首の付け根から両肩にかけての部分を枕(A)が覆うようになる。その結果、首から肩にかけての部分の安定感が高まり且つ冷たい夜気が肩口に侵入せず安眠を誘うことになる。
【発明を実施するための最良の形態】
【０００７】
以下、本発明の枕(A)を図示実施例に従って説明する。枕(A)はメッシュ地で袋状に縫製された通気性枕布(1)と、枕布(1)の内部に充填された詰め物(2)とで構成されており、その形状は図１に示すように略厚手長方形状のものである。その一方の長辺(10)はなだらかに凹湾曲状に形成されており、その中央部分(12)の厚み(T1)がその両側の部分(13)(13)の厚み(T2)よりわずか薄く形成されている。中央部分(12)の長手方向に形成された２本の線(15)は、中央部分(12)を縫い込んだ縫込み線で、内部に設けられたマチ(16)に縫着され、これにより中央部分(12)の厚みが両側部分(13)(13)より若干薄く形成されることになる。
【０００８】
枕布(1)は、表面側布(a)、裏面側布(b)及び側面布(c)並びマチ(16)とが縫い合わされて前記所定形状に形成されている。表面側布(a)、裏面側布(b)および側面布(c)はいずれも通気性に優れたメッシュ地にて構成されている。マチ(16)は前記２本の線(15)にあわせて長手方向に平行に配置され、表面側布(a)、裏面側布(b)の中央部分(12)に縫着されている。枕布(1)の一方の短辺側の稜線にはファスナ(17)が設けてあり、ファスナ(17)を開口することで詰め物(2)を出し入れすることができ、枕布(1)内の詰め物(2)の量を加減することができる。
【０００９】
詰め物(2)である粒状物の1例は、図３、４に示すように低反発材料(例えば、ポリウレタンの連続気泡発泡体)を素材とするもので、その形状は特に限定されるものではないが、円柱状、球状、立方体、直方体、回転楕円体など適宜の形状の連続気泡体が採用される。本実施例では低反発材料を押出機にて押し出し、これを、所定の寸法で切断した円柱状のものが使用されている。その直径は１cm〜２cmであり、長さは１cm〜２cmである。その直径や長さが１cm以下の場合、枕布(1)に充填したとき、密に充填され過ぎ、粒状物間の間隙が過小になって通気性が阻害される。一方、その直径や長さが２cm以上の場合、通気性を確保することができるものの枕布(1)を通して表面に現れる凹凸が過大になり、枕(A)としての外観を損ねる。また、詰め物(2)である粒状物の他例は、図５に示すように柔らかい短寸パイプ状のものがある。直径と寸法は低反発円柱状材料の場合と同様、その直径は１cm〜２cmであり、長さは１cm〜２cmである。詰め物(2)は低反発材料ものだけで構成してもよいし、低反発材料に短寸パイプ状のものを混ぜてもよい。
【００１０】
次にその使用方法について説明する。まず、使用者が布団やベッドに上に仰向けに寝て枕(A)の中央に頭を乗せる。これにより、頭の重みで枕(A)の中央部分(12)が沈み込み、後頭部から首にかけての部分全体が枕(A)に接触して柔らかく支持され且つ枕(A)の長辺(10)の両端部分(13)のなだらかに凸湾曲している部分(14)(14)が両肩に軽く接触し、首の付け根から両肩にかけての部分が枕(A)にて覆われる。その結果、首から肩にかけての部分の安定感が高まる。なお、反対側の長辺(11)も長辺(10)と同様湾曲させてもよいが、本実施例では直線状に成形されている。
【００１１】
枕(A)の詰め物(2)である粒状物は低反発性材料であるから、全体として体の接触部位に合わせてほとんど反発することなく変形し、接触部位を柔らかく支える。
【００１２】
一方、接触部位から体の顔が枕(A)に伝わって次第に蓄熱されていくが、充填物である粒状物の間にはかなり大きな隙間(3)が多数存在するため、枕(A)内の通気性は十分確保され、蓄えられた熱のかなりの部分が自然に外部に放熱され、枕(A)自体の温度上昇抑制する。加えて、寝返りを打つ度に枕(A)の上の頭部が転動し接触部位が変わるが、頭部が移動して外れた、以前の接触部位は粒状物自体の復元力で元の形状に復し、頭部が移動して新たに接触部位となった部分は圧縮されて変形することになる。このような頭部の転動によっても枕(A)内の空気の流動が促進され、枕(A)の温度上昇を抑制する。
【００１３】
その結果、詰め物(2)として低反発性材料を使用したにもかかわらず、枕(A)内の蓄熱が阻止され、夏場でも快適に使用することができる。また、詰め物(2)が粒状物であるため、枕布(1)の表面に充填された詰め物(2)の影響で若干の凹凸が発生するが、この凹凸により頭から肩口にかけての部分が軽いツボ刺激を受け、睡眠時の心地よい眠りを誘う。なお、詰め物(2)の量が多く、通気性が悪い場合にはファスナ(17)を開いて充填された詰め物(2)の一部を取り出し、逆に充填不足の場合には必要な量の詰め物(2)を充填することになる。
【００１４】
なお、前述のように低反発性材料とパイプ状のものを混ぜた場合、空隙が多くなりその分空気の流通が活発となり、枕(A)の蓄熱をより効果的に防止することができる。
【産業上の利用可能性】
【００１５】
本発明の枕の特殊形状と充填材である粒状の低反発性材料により夏場でも使用者に安眠を与え、健康増進に寄与する。
【図面の簡単な説明】
【００１６】
【図１】本発明の枕の斜視図
【図２】図１の中央部を切断した部分断面図
【図３】本発明で使用される粒状物の１例の斜視図
【図４】本発明で使用される粒状物の他例の斜視図
【図５】本発明で使用されるパイプ状粒状物の斜視図
【図６】従来の枕の斜視図
【符号の説明】
【００１７】
(A)  枕
(1)  枕布
(2)  詰め物
(10)(11)  長辺
(12)  中央部分
(13)  両側の部分
(14)  凸湾曲している部分
(T1)(T2)  厚み
【図１】
2006014846.tif 000003
【図２】
2006014846.tif 000004
【図３】
2006014846.tif 000005
【図４】
2006014846.tif 000006
【図５】
2006014846.tif 000007
【図６】
2006014846.tif 000008